(57)【特許請求の範囲】
【請求項１】
型枠の両端にゲージプラグを移動自在に取り付け、各々のゲージプラグの一端を型枠内に打ち込んだセメント系材料の内部に埋設すると共に、各々のゲージプラグの他端を型枠の外側に突出し、突出した他端の移動量を変位計で測定し、この測定値に基づいてセメント系材料の自己収縮量を求めるセメント系材料の自己収縮測定装置において、
前記各々のゲージプラグの移動を阻止するために、各々のゲージプラグをロックするロック手段を備えたことを特徴とするセメント系材料の自己収縮測定装置。
【請求項２】
前記ロック手段が前記ゲージプラグを挿通可能な中空チャックであることを特徴とする請求項１に記載したセメント系材料の自己収縮測定装置。
【発明の詳細な説明】
【０００１】
【発明の属する技術分野】
本発明は、セメント系材料の自己収縮測定装置に係り、例えばセメントペースト、モルタルやコンクリートなどのセメント系材料の自己収縮特性を求めるセメント系材料の自己収縮測定装置に関する。
【０００２】
【従来の技術】
一般に、低水セメント比で高強度のセメント系材料（セメントペースト、モルタルやコンクリートなど）は土木工事や建築工事に利用されており、このセメント系材料は自己収縮が大きいことが知られている。
従って、セメント系材料を合理的に土木工事や建築工事に利用するためには、セメント系材料の自己収縮特性を把握しておく必要がある。
【０００３】
セメント系材料の自己収縮の測定方法は（社）日本コンクリート工学協会の「セメントペースト、モルタルおよびコンクリートの自己収縮および自己膨脹試験方法（案）」に定められている。
【０００４】
この測定方法は、図３に示すように、先ず、型枠70の前後端71，72に前後のゲージプラグ75，80を移動自在に取り付け、次に、ゲージプラグ75，80が移動しないように手で押さえ、型枠70にセメント系材料84を打ち込む。このとき、ゲージプラグ75，80の一端76，81をセメント系材料84の内部に埋設する。
【０００５】
次いで、セメント系材料84が始発時間に達した時点で、ゲージプラグ75，80の他端77，82に前後のダイヤルゲージ85，88のスピンドル86，89を当接する。この状態で、セメント系材料84が硬化して自己収縮すると、ゲージプラグ75，80がセメント系材料84とともに内側に（すなわち、矢印方向に）移動する。
【０００６】
このため、ダイヤルゲージ85，88のスピンドル86，89がゲージプラグ75，80の移動量分延びる。これにより、ダイヤルゲージ85，88でゲージプラグ75，80の移動量を計測して、セメント系材料84の自己収縮を求める。
なお、前後のゲージプラグ75，80および前後のダイヤルゲージ85，88は同一部材である。
【０００７】
【発明が解決しようとする課題】
ところで、前後のゲージプラグ75，80は型枠70の前後端71，72に移動自在に支持されている。このため、型枠70にセメント系材料84を打ち込む際に、前後のゲージプラグ75，80が移動しないように、前後のゲージプラグ75，80を手で押さえておく必要がある。このため、セメント系材料84の自己収縮の測定に手間がかかるという問題がある。
【０００８】
また、ダイヤルゲージ85，88は、セットした後ゲージ読み値が安定するまでに、ある程度の時間を要する。従って、凝結始発（計測開始）の前からダイヤルゲージ85，88をセットしておくことが好ましい。
【０００９】
しかし、凝結始発前に、予めダイヤルゲージ85，88をセットすると、スピンドル86，89による押付け力がゲージプラグ75，80にかかるので、凝結始発の前にゲージプラグ75，80が移動して、そのことが計測誤差の要因になる。
このため、凝結始発時にダイヤルゲージ85，88をセットしてゲージ読み値が安定する前に計測を開始しなければならないので、計測誤差が発生するという問題がある。
【００１０】
また、凝結始発時にダイヤルゲージをセットするため、セメント系材料に押し付け力が加わり、セメント系材料が損傷する虞れがある。
このため、セメント系材料84の自己収縮を正確に計測することができないという問題がある。
【００１１】
本発明は、前述した問題点に鑑みてなされたものであり、その目的はセメント系材料の自己収縮を手間をかけないで計測することができ、かつセメント系材料の自己収縮を正確に計測することができるセメント系材料の自己収縮測定装置を提供することにある。
【００１２】
【課題を解決するための手段】
前述した目的を達成するために、本発明は、請求項１に記載したように、型枠の両端にゲージプラグを移動自在に取り付け、各々のゲージプラグの一端を型枠内に打ち込んだセメント系材料の内部に埋設すると共に、各々のゲージプラグの他端を型枠の外側に突出し、突出した他端の移動量を変位計で測定し、この測定値に基づいてセメント系材料の自己収縮量を求めるセメント系材料の自己収縮測定装置において、前記各々のゲージプラグの移動を阻止するために、各々のゲージプラグをロックするロック手段を備えたことを特徴としている。
【００１３】
このように構成されたセメント系材料の自己収縮測定装置においては、ゲージプラグをロックさせるためにロック手段を備えた。このため、ロック手段を操作するだけでゲージプラグの移動を簡単に阻止することができる。従って、型枠にセメント系材料を打ち込む際に、ゲージプラグが移動しないように、ゲージプラグを手で押さえる必要がない。
【００１４】
また、ロック手段でゲージプラグをロックすることにより、ゲージプラグを移動させないでセメント系材料の凝結始発の前からダイヤルゲージを予めセットすることができる。従って、凝結始発で測定を開始するときに、ゲージ読み値を安定させることができる。さらに、セメント系材料が損傷することを防ぐことができる。
【００１５】
また、本発明は、請求項２に記載したように、前記ロック手段が前記ゲージプラグを挿通可能な中空チャックであることを特徴としている。
このようなセメント系材料の自己収縮測定装置においては、ロック手段が中空チャックであるため、ゲージプラグを任意位置に確実、かつ、容易に固定できることになる。
【００１６】
【発明の実施の形態】
以下、本発明に係る実施の形態を図面に基づいて詳細に説明する。図１は本発明に係るセメント系材料の自己収縮測定装置の断面図、図２は図１のＡ部拡大図である。
【００１７】
図１に示すように、第１実施の形態であるセメント系材料の自己収縮測定装置10は、型枠12の両端（前後の側壁）14，15に前後のゲージプラグ22，26を移動自在に取り付け、前後のゲージプラグ22，26の一端23，27を型枠12内に打ち込んだセメント系材料20の内部に埋設すると共に、前後のゲージプラグ22，26の他端24，28を型枠12の外側に突出させ、突出した他端24，28の移動量を前後の変位計（ダイヤルゲージ）30，35で測定し、この測定値に基づいてセメント系材料20の自己収縮量を求めるもので、前後のゲージプラグ22，26の移動を阻止するために、前後のゲージプラグ22，26をロックする前後のロック手段40，50を備えたものである。
なお、前後のゲージプラグ22，26、前後のダイヤルゲージ30，35および前後のロック手段40，50は同一部材である。
【００１８】
型枠12は、剛性を有するために鋼材で底部13、左右の側壁（図示せず）および前後の側壁14，15で矩形に形成した枠体であって、前後の側壁14，15に前後のロック手段40，50を取り付けるための孔14a，15aを開けたものである。
【００１９】
この型枠12は、底部13に底部テフロンシート16を配置し、左右の側壁に左右の側壁テフロンシート（図示せず）を配置し、前後の側壁14，15に前後の側壁テフロンシート17，18を配置し、各々のテフロンシートの内側にポリエステルフィルム19を配置し、ポリエステルフィルム19の内部にセメント系材料20を打ち込むものである。
【００２０】
前後の側壁テフロンシート17，18には、前後のゲージプラグを通すための孔17a，18aが形成されている。また、ポリエステルフィルム19にも前後のゲージプラグを通すための孔が形成されている。
【００２１】
前後のゲージプラグ22，26は、一端23，27を矩形に形成し、一端23，27に各々連結ロッド25，29を固着し、連結ロッド25，29の端部に他端24，28をねじ結合したものである。従って、前後のゲージプラグ22，26は、連結ロッド25，29から他端24，28を取り外すことができる。
【００２２】
ダイヤルゲージ30，35は、ＪＩＳ  Ｂ  ７５０３（０．００１ｍｍ目盛りダイヤルゲージ）の規格を満たしたもので、ゲージプラグ22，26の他端24，28に前後のダイヤルゲージ30，35のスピンドル31，36を当接することにより、ゲージプラグ22，26の移動量を測定してセメント系材料20の自己収縮を求める。
なお、ダイヤルゲージ以外の変位計を使用する場合は、ダイヤルゲージ30，35と同等又は同等以上の精度を有するものを使用する。
【００２３】
次に、前後のロック手段40，50について説明する。なお、前後のロック手段40，50は同一部材なので前ロック手段40について説明して、後ロック手段50の説明を省略する。
【００２４】
図２に示すように、ロック手段40は、前側壁14の孔14aに差し込むねじ部41と前側壁14の外側に当接する六角部42を一体に形成し、ねじ部41にナット43をねじ込み、ナット43と六角部42とで前側壁14を挟持し、六角部42に小径ねじ部44をナット45で取り付け、小径ねじ部44の端部44aに複数のスリット46を形成した楔47を取り付け、小径ねじ部44に取り付けたロックナット48を締め付けることにより、ロックナット48のテーパ部48aで楔46を締め付けてゲージプラグ22の連結ロッド25を楔46でロックする中空チャックとされている。
【００２５】
一方、ロックナット48を緩めることにより、ゲージプラグ22の連結ロッド25をロック状態からフリーに解放することができる。これにより、ゲージプラグ22は矢印方向（前後方向）に移動可能に前ロック手段40に支えられた状態になる。
【００２６】
前ゲージプラグ22は、連結ロッド25の端部にねじ部25aを形成し、ねじ部25aに他端24の雌ねじ24aを結合したものである。従って、他端24を回転するだけで連結ロッド25から外して、前ゲージプラグ22を前ロック手段40に簡単に取り付けけることができる。
【００２７】
前述したセメント系材料の自己収縮測定装置10の測定方法を説明する。
先ず、図１に示すように型枠12の前後の側壁14，15に前後のロック手段40，50および前後のゲージプラグ22，26を取り付ける。次に、型枠12の内側に底部テフロンシート16や前後の側壁テフロンシート17，18を配置し、各々のテフロンシートの内側にポリエステルフィルム19を配置する。
【００２８】
次いで、前後のロック手段40，50で前後のゲージプラグ22，26をロックして、前後方向に移動しないようにする。この状態で、ポリエステルフィルム19の内部にセメント系材料20を打ち込み、前後のゲージプラグ22，26の一端23，27をセメント系材料20の内部に埋設する。
次に、セメント系材料20を締固めた後、セメント系材料20の表面をポリエステルフィルム19で覆う。
【００２９】
セメント系材料20を打ち込む際に、ロック手段40，50でゲージプラグ22，26を簡単にロックすることができるので、ゲージプラグ22，26を手で押さえる必要がない。従って、セメント系材料20の打ち込みを簡単に行うことができる。
【００３０】
そして、セメント系材料20の表面をポリエステルフィルム19で覆った後、すぐにゲージプラグ22，26の他端24，28に前後のダイヤルゲージ30，35のスピンドル31，36を当接する。
【００３１】
ここで、ロック手段40，50でゲージプラグ22，26をロックすることにより、ゲージプラグ22，26を移動させないでセメント系材料20の凝結始発の前からダイヤルゲージ30，35をセットすることができる。従って、凝結始発で測定を開始するときに、ゲージ読み値が安定しているので、計測誤差が発生することを防ぐことができる。
【００３２】
ゲージプラグ22，26の他端24，28に前後のダイヤルゲージ30，35のスピンドル31，36を当接した後、セメント系材料20が硬化して始発時間（測定開始時）に達したとき、ロック手段40，50を緩めてゲージプラグ22，26のロックを解除する。
【００３３】
この状態で、セメント系材料20が凝固して自己収縮すると、ゲージプラグ22，26がセメント系材料20とともに内側に（すなわち、矢印方向に）移動する。
このため、ダイヤルゲージ30，35のスピンドル31，36がゲージプラグ22，26の移動量分延びる。これにより、ダイヤルゲージ30，35でゲージプラグ22，26の移動量を計測して、セメント系材料20の自己収縮を求める。
【００３４】
なお、本発明のセメント系材料の自己収縮測定装置10は、前述した実施の形態に限定されるものでなく、適宜な変形，改良等が可能である。
例えば、前述した各実施の形態は、ロック手段40に楔47を取り付け、この楔46をロックナット48のテーパ部48aで締め付けてゲージプラグ22の連結ロッド25をロックする構成にしたが、その他ゲージプラグ22の連結ロッド25に直交するボルトを備え、ボルトを締付けることによりボルトの先端を連結ロッド25に押付けて、連結ロッド25をロックすることも可能である。
その他、前述した実施の形態において例示したダイヤルゲージは本発明を達成できるものであれば任意であり、限定されない。
【００３５】
【発明の効果】
以上、説明したように、本発明によれば、請求項１に記載したように、型枠の両端にゲージプラグを移動自在に取り付け、各々のゲージプラグの一端を型枠内に打ち込んだセメント系材料の内部に埋設すると共に、各々のゲージプラグの他端を型枠の外側に突出し、突出した他端の移動量を変位計で測定し、この測定値に基づいてセメント系材料の自己収縮量を求めるセメント系材料の自己収縮測定装置において、前記各々のゲージプラグの移動を阻止するために、各々のゲージプラグをロックするロック手段を備えたことを特徴とする。
【００３６】
このように構成されたセメント系材料の自己収縮測定装置においては、ゲージプラグをロックさせるためにロック手段を備えた。このため、ロック手段を操作するだけでゲージプラグの移動を簡単に阻止できる。
従って、型枠にセメント系材料を打ち込む際に、ゲージプラグが移動しないように、ゲージプラグを手で押さえる必要がない。
この結果、セメント系材料の自己収縮を手間をかけないで簡単に測定できる。
【００３７】
また、ロック手段でゲージプラグをロックすることにより、ゲージプラグを移動させないでセメント系材料の凝結始発の前からダイヤルゲージを予めセットできる。
この結果、凝結始発で測定を開始するときに、ゲージ読み値が安定しているので、計測誤差が発生することはない。
【００３８】
さらに、ゲージプラグが振動してセメント系材料が損傷することを防止できる。
この結果、セメント系材料の自己収縮を正確に計測できる。
【００３９】
また、本発明によれば、請求項２に記載したように、ロック手段がゲージプラグを挿通可能な中空チャックであるため、ゲージプラグを任意位置に確実、かつ、容易に固定できる。
【図面の簡単な説明】
【図１】本発明に係るセメント系材料の自己収縮測定装置の断面図である。
【図２】図１のＡ部拡大図である。
【図３】従来のセメント系材料の自己収縮測定装置の断面図である。
【符号の説明】
10  セメント系材料の自己収縮測定装置
12  型枠
14，15  型枠の両端（前後の側壁）
20  セメント系材料
22，26  前後のゲージプラグ
23，27  前後のゲージプラグの一端
24，28  前後のゲージプラグの他端
30，35  変位計（ダイヤルゲージ）
40，50  前後のロック手段
【図１】
0004165727.tif 000002
【図２】
0004165727.tif 000003
【図３】
0004165727.tif 000004